(57)【要約】      （修正有）【課題】ヒートポンプ給湯装置において、除霜弁の閉故障を判定可能なもの等を提供する。【解決手段】ヒートポンプ給湯装置は、圧縮機２１と湯水加熱用熱交換器と膨張弁２３と外気熱吸収用熱交換器とを冷媒回路で接続して構成されたヒートポンプ式熱源機２０と、湯水加熱用熱交換器で加熱された湯水を貯留する為の貯湯タンクとを備え、ヒートポンプ式熱源機２０は、外気熱吸収用熱交換器の着霜を検知した場合には、除霜用電磁弁３２を開放して除霜運転を行う為に、膨張弁２３をバイパスするバイパス通路と、このバイパス通路に設置された除霜用電磁弁３２とを有し、貯湯タンクに湯水を貯留する為の貯湯運転の終了時に、除霜用電磁弁３２を開放制御して外気熱吸収用熱交換器の入口冷媒温度の変化に基づいて除霜用電磁弁３２の故障判定を行う故障判定手段を備えている。【選択図】図２
2015001350.tif 000002
【特許請求の範囲】
【請求項１】
圧縮機と凝縮熱交換器と膨張手段と蒸発熱交換器とを冷媒回路で接続して構成されたヒートポンプ式熱源機と、前記凝縮熱交換器で加熱された湯水を貯留する為の貯湯タンクとを備えたヒートポンプ給湯装置であって、前記ヒートポンプ式熱源機は、前記膨張手段をバイパスするバイパス通路と、このバイパス通路に設置された除霜弁とを有し、前記蒸発熱交換器の着霜を検知した場合には、前記除霜弁を開放して除霜運転を行うヒートポンプ給湯装置において、
前記貯湯タンクに湯水を貯留する為の貯湯運転の終了時に、前記除霜弁を開放制御して前記蒸発熱交換器の入口冷媒温度の変化に基づいて前記除霜弁の故障判定を行う故障判定手段を備えたことを特徴とするヒートポンプ給湯装置。
【請求項２】
前記故障判定手段による故障判定中は、前記圧縮機の運転を継続することを特徴とする請求項１に記載のヒートポンプ給湯装置。
【請求項３】
前記故障判定手段は、前記除霜弁を開放制御する前の前記蒸発熱交換器の入口温度と、前記除霜弁を開放制御した後の前記蒸発熱交換器の入口温度との温度差が設定温度以下の場合に、前記除霜弁が開放されていないと判定することを特徴とする請求項１又は２に記載のヒートポンプ給湯装置。
【発明の詳細な説明】
【技術分野】
【０００１】
本発明はヒートポンプ給湯装置に関し、特に膨張弁をバイパスするバイパス通路に設置された除霜弁を使用して除霜運転を行うものに関する。
【背景技術】
【０００２】
従来から、冷媒を利用した熱交換式のヒートポンプ給湯装置が一般に広く普及している。この種のヒートポンプ給湯装置は、冷媒により湯水を加熱するヒートポンプ式熱源機、加熱された湯水を貯留する貯湯タンク、ヒートポンプ式熱源機と貯湯タンクとの間に湯水を循環する加熱循環回路等を備え、貯湯タンク内の湯水を加熱循環回路に循環させてヒートポンプ式熱源機で加熱して、加熱された湯水を貯湯タンク内に戻して貯留し、貯湯タンクから蛇口や風呂等の所望の給湯先に給湯するものである。
【０００３】
上記のヒートポンプ式熱源機においては、圧縮機、凝縮熱交換器、膨張弁、蒸発熱交換器が冷媒配管を介して接続されることで構成され、冷媒回路に封入された冷媒を利用して貯湯運転（給湯加熱運転）が行われる。この貯湯運転では、圧縮機と蒸発熱交換器用の送風ファンとが夫々駆動され、凝縮熱交換器により冷媒回路を流れる冷媒と加熱循環回路を流れる湯水との間で熱交換が行われて湯水が加熱される。
【０００４】
ところで、上記のヒートポンプ式熱源機において、蒸発熱交換器で冷媒が外気から吸熱する構造上、寒冷地や冬場等では、蒸発熱交換器の表面に大気中の水蒸気が付着して凍結することで霜が発生する場合がある。蒸発熱交換器に霜が付着すると、蒸発熱交換器における吸熱効率が著しく低下してしまい、結果的にヒートポンプ給湯装置の運転効率が低下してしまうという問題がある。
【０００５】
このため、ヒートポンプ給湯装置には、一般的に、貯湯運転を停止して蒸発熱交換器に付着した霜を取り除く為の除霜運転の機能が設けられている。このような除霜運転の機能としては、以下に説明するような種々の技術が実用化されている。
【０００６】
例えば、従来の除霜運転では、圧縮機に四方弁を設け、除霜運転時には、この四方弁を介して冷媒を通常運転時とは逆方向に流すことで、圧縮機で加熱された冷媒（ホットガス）を蒸発熱交換器に直接流して蒸発熱交換器の霜を取り除いたり、凝縮熱交換器と膨張弁とをバイパスするバイパス通路を設け、このバイパス通路に除霜弁を設置し、除霜運転時には、除霜弁を開放し、圧縮機で加熱された冷媒を、バイパス通路を介して蒸発熱交換器に直接流して蒸発熱交換器の霜を取り除く技術が実用化されている。
【０００７】
また、特許文献１のオフサイクルデフロスト装置では、膨張弁をバイパスするバイパス通路を設け、このバイパス通路に除霜弁を設け、除霜運転時には、除霜弁を閉止した状態で圧縮機を駆動して、凝縮熱交換器で冷媒に蓄熱し、冷媒の圧力が所定値以上になった場合、除霜弁を開放して、高温高圧の冷媒を、膨張弁をバイパスさせて蒸発熱交換器に一気に送り込むことで除霜を行う技術も実用化されている。
【先行技術文献】
【特許文献】
【０００８】
【特許文献１】特許３１３６６４４号公報
【発明の概要】
【発明が解決しようとする課題】
【０００９】
しかし、上記のヒートポンプ給湯装置におけるバイパス通路と除霜弁を使用した従来の除霜運転は、寒冷地や冬場等で実行されるので、蒸発熱交換器に着霜が発生しない夏場等では、除霜運転が実行されずに除霜弁が開閉駆動されない期間が長期間に及ぶ。このため、除霜弁が固着等よって故障してしまう虞がある。除霜弁が閉故障すると、蒸発熱交換器に着霜が発生しても除霜運転を実行することができなくなる上、除霜運転を実行しようとすると、急激な冷媒圧力上昇に伴い冷媒回路が破損してしまう虞がある。
【００１０】
本発明の目的は、ヒートポンプ給湯装置において、除霜弁の閉故障を判定可能なもの、除霜運転を長期間実行していなくても蒸発熱交換器への着霜時には確実に除霜運転を実行可能なもの、等を提供することである。
【課題を解決するための手段】
【００１１】
請求項１のヒートポンプ給湯装置は、圧縮機と凝縮熱交換器と膨張手段と蒸発熱交換器とを冷媒回路で接続して構成されたヒートポンプ式熱源機と、前記凝縮熱交換器で加熱された湯水を貯留する為の貯湯タンクとを備えたヒートポンプ給湯装置であって、前記ヒートポンプ式熱源機は、前記膨張手段をバイパスするバイパス通路と、このバイパス通路に設置された除霜弁とを有し、前記蒸発熱交換器の着霜を検知した場合には、前記除霜弁を開放して除霜運転を行うヒートポンプ給湯装置において、前記貯湯タンクに湯水を貯留する為の貯湯運転の終了時に、前記除霜弁を開放制御して前記蒸発熱交換器の入口冷媒温度の変化に基づいて前記除霜弁の故障判定を行う故障判定手段を備えたことを特徴としている。
【００１２】
請求項２のヒートポンプ給湯装置は、請求項１の発明において、前記故障判定手段による故障判定中は、前記圧縮機の運転を継続することを特徴としている。
【００１３】
請求項３のヒートポンプ給湯装置は、請求項１又は２の発明において、前記故障判定手段は、前記除霜弁を開放制御する前の前記蒸発熱交換器の入口温度と、前記除霜弁を開放制御した後の前記蒸発熱交換器の入口温度との温度差が設定温度以下の場合に、前記除霜弁が開放されていないと判定することを特徴としている。
【発明の効果】
【００１４】
請求項１の発明によれば、貯湯タンクに湯水を貯留する為の貯湯運転の終了時に、除霜弁を開放制御して蒸発熱交換器の入口冷媒温度の変化に基づいて除霜弁の故障判定を行う故障判定手段を備えたので、夏場等で除霜運転を実行しない期間が長くなっても、通常の貯湯運転の終了時に除霜弁の故障判定を行うことで、除霜弁の閉故障を迅速に検知することができ、修理や交換等の対応を迅速に行うことができる。
【００１５】
従って、寒冷地や冬場等で蒸発熱交換器へ着霜が発生した場合には、除霜弁を確実に開閉駆動することができるので、除霜運転を確実に実行可能である。除霜弁を定期的に開閉駆動することで、固着による故障を防止することができる。貯湯運転の終了時に除霜弁を開放することで、バイパス通路を介して冷媒回路の内部圧力が迅速に均一化されるので、ヒートポンプ式熱源機の再起動時間を短縮することができ、故に、ヒートポンプ給湯装置の省エネルギー化を図ることができる。
【００１６】
請求項２の発明によれば、故障判定手段による故障判定中は、圧縮機の運転を継続するので、圧縮機によって高温高圧の冷媒を蒸発熱交換器に圧送することで、故障判定の時間を短縮することができる。
【００１７】
請求項３の発明によれば、故障判定手段は、除霜弁を開放制御する前の蒸発熱交換器の入口温度と、除霜弁を開放制御した後の蒸発熱交換器の入口温度との温度差が設定温度以下の場合に、除霜弁が開放されていないと判定するので、除霜弁の開閉制御前後における蒸発熱交換器の入口冷媒温度を比較することで、除霜弁の閉故障を確実に検知することができる。
【図面の簡単な説明】
【００１８】
【図１】本発明の実施例に係るヒートポンプ給湯装置の概略構成図である。
【図２】除霜弁故障判定制御のフローチャートである。
【発明を実施するための形態】
【００１９】
以下、本発明を実施するための形態について実施例に基づいて説明する。
【００２０】
先ず、本発明のヒートポンプ給湯装置１の全体構成について説明する。
図１に示すように、ヒートポンプ給湯装置１は、湯水を貯留する貯湯タンク５を備えた貯湯給湯装置２、貯湯タンク５の湯水の加熱を行うヒートポンプユニット３、ヒートポンプ給湯装置１を制御する制御ユニット４、貯湯給湯装置２とヒートポンプユニット３との間に湯水を循環させる循環用配管８ａ，８ｂ等から構成されている。
【００２１】
図１に示すように、貯湯給湯装置２は、縦長筒状の外周面を有する貯湯タンク５、各種の配管６，７，８ａ，８ｂ、湯水循環ポンプ１１、開閉弁１２、混合弁１３、主制御ユニット１６、外装ケース１７等を備えている。貯湯タンク５は、ヒートポンプユニット３で加熱された高温の湯水（例えば、８０〜９０℃）を貯留するものである。
【００２２】
貯湯タンク５の下端部には、給水配管６と循環用配管８ａとが接続されている。給水配管６には、貯湯タンク５へ低温の上水を供給する為の開閉弁１２が設けられている。貯湯タンク５の上端部には、循環用配管８ｂと出湯配管７とが接続され、循環用配管８ｂから戻された高温の湯水を貯湯タンク５内に貯留し、給湯時には貯湯タンク５内の高温の湯水を出湯配管７に供給することができる。
【００２３】
貯湯タンク５には、複数の温度センサ５ａ〜５ｄが高さ方向所定間隔おきの位置に配置され、温度センサ５ａ〜５ｄの温度検出信号が主制御ユニット１６に供給される。外装ケース１７は、薄鋼板製の箱状に形成され、貯湯タンク５、各種の配管類６，７、循環用配管８ａ，８ｂの大部分、湯水循環ポンプ１１、開閉弁１２、混合弁１３、各種の温度センサ１５ａ〜１５ｄ、主制御ユニット１６等を収容している。
【００２４】
次に、ヒートポンプユニット３について説明する。
図１に示すように、ヒートポンプユニット３は、冷媒により湯水を加熱するヒートポンプ式熱源機２０、主制御ユニット１６に接続され且つヒートポンプ式熱源機２０を制御する補助制御ユニット３３、これらを収納する外装ケース３５等を備えている。
【００２５】
ヒートポンプ式熱源機２０は、圧縮機２１、凝縮熱交換器としての湯水加熱用熱交換器２２、高圧の冷媒を急膨張させて温度と圧力を下げる膨張弁２３、蒸発熱交換器としての外気熱吸収用熱交換器２４を有し、これら機器２１〜２４が冷媒回路２５を介して接続されて構成され、冷媒回路２５に収容された冷媒を利用して貯湯運転を行う。ヒートポンプ式熱源機２０は、さらに、送風モータ２７ａで駆動される外気熱吸収用熱交換器用の送風ファン２７と、除霜運転の為のバイパス通路３１及び除霜弁３２を有している。
【００２６】
圧縮機２１は、気相状態の冷媒を断熱圧縮して温度上昇させる公知の密閉型圧縮機である。尚、圧縮機２１は、除霜用電磁弁３２が開放状態の場合、ポンプとして駆動可能である。
【００２７】
湯水加熱用熱交換器２２は、循環用配管８ａ，８ｂ間に設置された熱交換器通路部２２ａと冷媒回路２５の一部となる内部通路２２ｂとを有する二重管で構成されている。湯水加熱用熱交換器２２において、内部通路２２ｂを流れる冷媒と循環用配管８ａから熱交換器通路部２２ａに供給される湯水との間で熱交換され、湯水は加熱され冷媒は冷却され液化する。
【００２８】
膨張弁２３（膨張手段に相当する）は、液相状態の冷媒を断熱膨張させ温度低下させるものである。膨張弁２３は、絞り量が可変な制御弁からなる。
【００２９】
外気熱吸収用熱交換器２４は、冷媒回路２５に含まれる蒸発器通路部２４ａを有し、この蒸発器通路部２４ａは伝熱管と複数のフィンとを有し、この外気熱吸収用熱交換器２４において、蒸発器通路部２４ａを流れる冷媒と外気との間で熱交換され、冷媒は外気から吸熱して気化する。
【００３０】
冷媒回路２５は、圧縮機２１の吐出側と湯水加熱用熱交換器２２の入口側とを接続する冷媒通路２５ａ，湯水加熱用熱交換器２２の出口側と膨張弁２３の入口側とを接続する冷媒通路２５ｂ，膨張弁２３の出口側と外気熱吸収用熱交換器２４の入口側とを接続する冷媒通路２５ｃ，外気熱吸収用熱交換器２４の出口側と圧縮機２１の導入側とを接続する冷媒通路２５ｄを備えている。尚、冷媒通路２５ｃの外気熱吸収用熱交換器２４の入口側近傍部には、入口冷媒温度センサ２９が設置されている。
【００３１】
冷媒回路２５には、湯水加熱用熱交換器２２と膨張弁２３とをバイパスするように、冷媒通路２５ａの圧縮機２１の吐出側近傍部と、冷媒通路２５ｃの膨張弁２３の出口側近傍部とに接続されたバイパス通路３１が設けられている。
【００３２】
バイパス通路３１には、湯水加熱用熱交換器２２と膨張弁２３とに並列接続されるように且つ除霜運転時に補助制御ユニット３３によって開閉制御される除霜用電磁弁３２（除霜弁に相当する）が設けられている。外気熱吸収用熱交換器２４の着霜を検知した場合には、除霜用電磁弁３２を開放して除霜運転を行う。
【００３３】
尚、除霜用電磁弁３２は、全開状態でもバイパス通路３１の断面積より小さい断面積を有する。つまり、除霜用電磁弁３２は、全開状態でも絞り機能を奏するので、除霜用電磁弁３２の入口側と出口側の冷媒には温度差や圧力差が存在する。このため、除霜運転時には、通常の貯湯運転時における圧縮機２１の吐出冷媒温度より低いが、高温の冷媒を外気熱吸収用熱交換器２４に送ることができる。
【００３４】
ヒートポンプ式熱源機２０の貯湯運転時において、圧縮機２１により高圧に圧縮された加熱状態の冷媒は、湯水加熱用熱交換器２２に送られ、湯水循環ポンプ１１の駆動により貯湯タンク５の下端部から循環用配管８ａを経て熱交換器通路部２２ａに流入した水と熱交換してその水を暖め、温度低下した冷媒は膨張弁２３に送られ、加熱された湯水が循環用配管８ｂを通って貯湯給湯装置２の貯湯タンク５に貯留され、ヒートポンプ式熱源機２０を経由する加熱動作を繰り返すことで貯湯タンク５に高温の湯水が貯留される。
【００３５】
次に、制御ユニット４について説明する。
図１に示すように、ヒートポンプ給湯装置１は、主制御ユニット１６と補助制御ユニット３３からなる制御ユニット４によって制御される。各種の温度センサ等の検出信号が制御ユニット４に送信され、この制御ユニット４により、貯湯給湯装置２とヒートポンプ式熱源機２０の動作、各種のポンプの作動・停止、各種の弁の開閉状態の切り換え及び開度調整等を制御し、各種運転（貯湯運転、給湯運転、除霜運転等）を実行する。
【００３６】
主制御ユニット１６は、ユーザーが操作可能な操作リモコン３６との間でデータ通信可能であり、操作リモコン３６のスイッチ操作により目標給湯温度が設定されると、その目標給湯温度データが操作リモコン３６から主制御ユニット１６に送信される。補助制御ユニット３３は、主制御ユニット１６との間でデータ通信可能であり、主制御ユニット１６からの指令に従ってヒートポンプ式熱源機２０の各種機器（圧縮機２１、膨張弁２３、送風モータ２７ａ、除霜用電磁弁３２等）の駆動制御を行う。
【００３７】
次に、貯湯運転の終了時に自動的に行われる、除霜用開閉弁３２の故障判定制御について、図２のフローチャートに基づいて説明する。尚、図中の符号Ｓｉ（ｉ=１，２，・・）は各ステップを示す。この故障判定制御の制御プログラムは、制御ユニット４の補助制御ユニット３３に予め格納されている。
【００３８】
図２のフローチャートにおいて、この制御が開始されると、最初にＳ１において、ヒートポンプ式熱源機２０が貯湯運転中か否か判定する。貯湯タンク５に湯水を貯留する為の貯湯運転中（圧縮機２１や送風ファン２７が駆動状態）の場合、つまり、Ｓ１の判定がＹｅｓの場合は、Ｓ２に移行し、Ｓ１の判定がＮｏの場合は、この制御を終了する。
【００３９】
次に、Ｓ２において、主制御ユニット１６から補助制御ユニット３３にヒートポンプ式熱源機２０の貯湯運転停止命令が入力されたか否か判定し、Ｎｏの場合、貯湯運転停止指令信号が入力されるまでＳ２を繰り返し、ヒートポンプ式熱源機２０の運転停止指令信号が入力されると、Ｓ２の判定がＹｅｓとなり、Ｓ３に移行する。
【００４０】
次に、Ｓ３において、入口冷媒温度センサ２９の検出信号を読み込み、この検出信号に基づいて、外気熱吸収用熱交換器２４に流入する冷媒の入口冷媒温度Ｔ１を算出し、Ｓ４において、除霜用電磁弁３２を開放してバイパス通路３１を導通状態に設定し、Ｓ５に移行する。
【００４１】
次に、Ｓ５において、除霜用電磁弁３２を開放してから所定時間（例えば、３０秒〜１分程度）経過したか否かを判定し、所定時間経過している場合、つまり、Ｓ５の判定がＹｅｓの場合は、Ｓ６に移行し、Ｓ５の判定がＮｏのうちは、所定時間経過するまでＳ５を繰り返す。尚、除霜用電磁弁３２を開放しても、他の機器の動作状態は、通常の貯湯運転と同じ動作状態で維持される。
【００４２】
次に、Ｓ６において、Ｓ３と同様に、入口冷媒温度センサ２９の検出信号を読み込み、この検出信号に基づいて、外気熱吸収用熱交換器２４に流入する冷媒の入口冷媒温度Ｔ２を算出し、Ｓ７に移行する。
【００４３】
次に、Ｓ７において、除霜用電磁弁３２を開放制御する前の外気熱吸収用熱交換器２４の入口冷媒温度Ｔ１と、除霜用電磁弁３２を開放制御した後の外気熱吸収用熱交換器２４の入口冷媒温度Ｔ２との温度差が、設定温度α（例えば、１０℃）以下か否か判定する。
【００４４】
即ち、除霜用電磁弁３２を開放すると、圧縮機２１の駆動に伴い高温の冷媒がバイパス通路３１を通って冷媒通路２５ｃに流入し、冷媒通路２５ｃを流れる低温の冷媒と混合されて、外気熱吸収用熱交換器２４に流入するので、Ｓ４の段階で、除霜用電磁弁３２が正常に開放されていると、外気熱吸収用熱交換器２４の入口冷媒温度が上昇している。従って、Ｓ７の段階で、入口冷媒温度が設定温度αを超える温度分上昇していた場合、Ｓ７の判定がＮｏとなり、Ｓ８に移行し、除霜用電磁弁３２が正常であると判定してからＳ１０に移行する。
【００４５】
一方、除霜用電磁弁３２が閉故障している場合、除霜用電磁弁３２を開放制御しても、バイパス通路３１は非導通状態であるので、圧縮機２１の駆動に伴い高温の冷媒は、湯水加熱用熱交換器２２を通り、膨張弁２３によって温度が低下した冷媒が外気熱吸収用熱交換器２４へ流入する。従って、外気熱吸収用熱交換器２４の入口冷媒温度は上昇しないので、Ｓ７の判定がＹｅｓとなり、Ｓ９に移行し、除霜用電磁弁３２の故障状態であることを表示警告や音声警告等でユーザーに報知してからＳ１０に移行する。
【００４６】
このように、貯湯タンク５に湯水を貯留する為の貯湯運転の終了時に、除霜用電磁弁３２を開放制御して外気熱吸収用熱交換器２４の入口冷媒温度の変化に基づいて除霜用電磁弁３２の故障判定を行う。Ｓ３〜Ｓ９の除霜用電磁弁３２の故障判定中は、圧縮機２１の運転を継続するので、外気熱吸収用熱交換器２４に高温の冷媒を迅速に送り込むことができ、外気熱吸収用熱交換器２４の入口温度を短時間に上昇させることができる。尚、入口冷媒温度センサ２９、補助制御ユニット３３、制御プログラムのＳ３〜Ｓ９等が本発明の故障判定手段に相当するものである。
【００４７】
次に、Ｓ１０において、ヒートポンプ式熱源機２０の運転を停止する。具体的に、補助制御ユニット３３によって、圧縮機２１を停止し、送風ファン２７を停止する。そして、冷媒回路３５の内部圧力が均一化する迄の時間が経過した後に、除霜用電磁弁３２を閉止し、膨張弁２３を待機開度（中間位置）に設定し、この一連の制御を終了する。
【００４８】
尚、貯湯運転の終了時に除霜用電磁弁３２を開放状態に設定すると、バイパス通路３１を介して高温の冷媒が流れる冷媒通路２５ａと低温の冷媒が流れる冷媒通路２５ｃとが接続されるので、冷媒回路３５の内部圧力が均一化する迄の時間は、従来の膨張弁２３を全開状態にして冷媒回路３５の内部圧力が均一化する迄の時間と比較して、著しく短縮することができる。
【００４９】
次に、本発明のヒートポンプ給湯装置１の作用及び効果について説明する。
貯湯タンク５に湯水を貯留する為の通常の貯湯運転の終了時に、除霜用電磁弁３２を開放制御して、外気熱吸収用熱交換器２４の入口冷媒温度の変化に基づいて除霜用電磁弁３２が開放されていないと判定し、除霜用電磁弁３２が閉故障している場合は、除霜用電磁弁３２の故障状態をユーザーに音声警告や表示警告等で報知し、その後、ヒートポンプ式熱源機２０の運転を終了する。尚、上述した除霜用電磁弁３２の故障判定制御は、貯湯運転の終了毎に実行しても良いし、１日のうちに複数回実行しても良いし、１日１回実行しても良い。故障判定制御を１日１回実行する場合は、例えばヒートポンプ式熱源機２０の再起動の間隔が短い１日の最初の貯湯運転時（例えば早朝）が望ましい。
【００５０】
以上説明したように、貯湯運転の終了時に、除霜用電磁弁３２を開放制御して外気熱吸収用熱交換器２４の入口冷媒温度の変化に基づいて除霜用電磁弁３２の故障判定を行う故障判定手段を備えたので、夏場等で除霜運転を実行しない期間が長くなっても、通常の貯湯運転の終了時に除霜用電磁弁３２の故障判定を行うことで、除霜用電磁弁３２の閉故障を迅速に検知することができ、修理や交換等の対応を迅速に行うことができる。
【００５１】
従って、寒冷地や冬場等で外気熱吸収用熱交換器２４へ着霜が発生した場合には、除霜用電磁弁３２を確実に開閉駆動することができるので、除霜運転を確実に実行可能である。除霜用電磁弁３２を定期的に開閉駆動することで、固着による故障を防止することができる。貯湯運転の終了時に除霜用電磁弁３２を開放することで、バイパス通路３１を介して冷媒回路２５の内部圧力が迅速に均一化されるので、ヒートポンプ式熱源機２０の再起動時間を短縮することができ、故に、ヒートポンプ給湯装置１の省エネルギー化を図ることができる。
【００５２】
また、故障判定手段による故障判定中は、圧縮機２１の運転を継続するので、圧縮機２１によって高温高圧の冷媒を外気熱吸収用熱交換器２４に圧送することで、故障判定の時間を短縮することができる。
【００５３】
さらに、故障判定手段は、除霜用電磁弁３２を開放制御する前の外気熱吸収用熱交換器２４の入口温度と、除霜用電磁弁３２を開放制御した後の外気熱吸収用熱交換器２４の入口温度との温度差が設定温度以下の場合、除霜用電磁弁３２が開放されていないと判定するので、除霜用電磁弁３２の開閉制御前後における外気熱吸収用熱交換器２４の入口冷媒温度を比較することで、除霜用電磁弁３２の閉故障を確実に検知することができる。
【００５４】
次に、前記実施例を部分的に変更した形態について説明する。
［１］前記実施例において、バイパス通路３１は、湯水加熱用熱交換器２２と膨張弁２３とをバイパスするように設けられているが、膨張弁２３のみをバイパスするように設けられても良い。
【００５５】
［２］その他、当業者であれば、本発明の趣旨を逸脱することなく、前記実施例に種々の変更を付加した形態で実施可能であり、本発明はそのような変更形態を包含するものである。
【符号の説明】
【００５６】
１      ヒートポンプ給湯装置
５      貯湯タンク
２０    ヒートポンプ式熱源機
２１    圧縮機
２２    湯水加熱用熱交換器（凝縮熱交換器）
２３    膨張弁
２４    外気熱吸収用熱交換器（蒸発熱交換器）
２５    冷媒回路
３１    バイパス通路
３２    除霜用電磁弁
３３    補助制御ユニット
【図１】
2015001350.tif 000003
【図２】
2015001350.tif 000004